【手続補正書】
【提出日】平成16年7月22日(2004.7.22)
【手続補正１】
【補正対象書類名】明細書
【補正対象項目名】発明の名称
【補正方法】変更
【補正の内容】
【発明の名称】１次元時系列データ圧縮方法，１次元時系列データ圧縮プログラム記録媒体，および１次元時系列データ圧縮装置
【手続補正２】
【補正対象書類名】明細書
【補正対象項目名】特許請求の範囲
【補正方法】変更
【補正の内容】
【特許請求の範囲】
【請求項１】
時間等間隔な１次元時系列データの圧縮方法であって、
前記１次元時系列データの入力を行なう第１の工程と、
前記１次元時系列データを近似する補間関数の節点候補を算出する第２の工程と、
前記節点候補の位置を最適化する第３の工程と、
前記位置が最適化された節点候補に基づき前記補間関数により発生した１次元時系列データと元の１次元時系列データとの誤差を判定する第４の工程と、
前記第４の工程により前記誤差が近似精度に基づく値を越えると判断された場合に節点候補数を変更し、前記第２の工程に戻る第５の工程と、
前記第４の工程により前記誤差が前記近似精度に基づく値を越えないと判断された場合に当該節点候補のデータとこれに対応する時刻のデータとを圧縮された情報として出力する第６の工程とを含む、
ことを特徴とする１次元時系列データ圧縮方法。
【請求項２】
時間等間隔な１次元時系列データの圧縮プログラムを記録した１次元時系列データ圧縮プログラム記録媒体であって、
前記１次元時系列データの入力を行なう第１の工程と、
前記１次元時系列データを近似する補間関数の節点候補を算出する第２の工程と、
前記節点候補の位置を最適化する第３の工程と、
前記位置が最適化された節点候補に基づき補間関数により発生した１次元時系列データと元の１次元時系列データとの誤差を判定する第４の工程と、
前記第４の工程により前記誤差が近似精度に基づく値を越えると判断される場合に節点候補数を変更し、前記第２の工程に戻る第５の工程と、
前記第４の工程により前記誤差が前記近似精度に基づく値未満であると判断された場合に当該節点候補のデータとこれに対応する時刻のデータとを圧縮された情報として出力する第６の工程とを含む時間等間隔な１次元時系列データの圧縮プログラムを記録した、
ことを特徴とする１次元時系列データ圧縮プログラム記録媒体。
【請求項３】
時間等間隔な１次元時系列データの圧縮装置であって、
前記１次元時系列データの入力を行なう第１の手段と、
前記１次元時系列データを近似する補間関数の節点候補を算出する第２の手段と、
前記節点候補の位置を最適化する第３の手段と、
前記位置が最適化された節点候補に基づき前記補間関数により発生した１次元時系列データと元の１次元時系列データとの誤差を判定する第４の手段と、
前記第４の手段により前記誤差が近似精度に基づく値を越えると判断された場合に節点候補数を変更し、前記第２の手段に戻る第５の手段と、
前記第４の手段により前記誤差が前記近似精度に基づく値を越えないと判断された場合に当該節点候補のデータとこれに対応する時刻のデータとを圧縮された情報として出力する第６の手段とを備えた、
ことを特徴とする１次元時系列データ圧縮装置。
【手続補正３】
【補正対象書類名】明細書
【補正対象項目名】０００１
【補正方法】変更
【補正の内容】
【０００１】
【発明の属する技術分野】
本発明は、１次元時系列データ圧縮方法，１次元時系列データ圧縮プログラム記録媒体，および１次元時系列データ圧縮装置に関するものであり、これらは信号処理技術の分野に属するものであるが、剛体多関節物体の動きやメッシュ状の面の変形、弾性物体の変形などを記述した時系列データにも適用できるものである。
【手続補正４】
【補正対象書類名】明細書
【補正対象項目名】０００８
【補正方法】変更
【補正の内容】
【０００８】
本発明は、上記のような従来のものの問題点を解決するためになされたもので、１次元時系列データの性質に合わせた圧縮を行なうことができ、伸長されたデータの個数を元のデータの個数と異ならせたとしても、圧縮，伸長の処理の影響が伸長後のデータに及んでしまうことが少なく、また、データの統計的な性質を利用して圧縮を行うのではなく、圧縮の際に指定する，元のデータとの誤差の範囲内に収まるようにデータを圧縮する圧縮方法であるため、従来の圧縮方法を補完する，新たな圧縮方法を提供することができ、圧縮，伸長方法の選択の幅を広げることを可能とする１次元時系列データ圧縮方法，１次元時系列データ圧縮プログラム記録媒体，および１次元時系列データ圧縮装置を得ることを目的としてなされたものである。
【手続補正５】
【補正対象書類名】明細書
【補正対象項目名】０００９
【補正方法】変更
【補正の内容】
【０００９】
【課題を解決するための手段】
この発明の請求項１記載の１次元時系列データ圧縮方法は、時間等間隔な１次元時系列データの圧縮方法であって、前記１次元時系列データの入力を行なう第１の工程と、前記１次元時系列データを近似する補間関数の節点候補を算出する第２の工程と、前記節点候補の位置を最適化する第３の工程と、前記位置が最適化された節点候補に基づき前記補間関数により発生した１次元時系列データと元の１次元時系列データとの誤差を判定する第４の工程と、前記第４の工程により前記誤差が近似精度に基づく値を越えると判断された場合に節点候補数を変更し、前記第２の工程に戻る第５の工程と、前記第４の工程により前記誤差が前記近似精度に基づく値を越えないと判断された場合に当該節点候補のデータとこれに対応する時刻のデータとを圧縮された情報として出力する第６の工程とを含むようにしたものである。
【手続補正６】
【補正対象書類名】明細書
【補正対象項目名】００１０
【補正方法】変更
【補正の内容】
【００１０】
この発明の請求項２記載の１次元時系列データ圧縮プログラム記録媒体は、時間等間隔な１次元時系列データの圧縮プログラムを記録した１次元時系列データ圧縮プログラム記録媒体であって、前記１次元時系列データの入力を行なう第１の工程と、前記１次元時系列データを近似する補間関数の節点候補を算出する第２の工程と、前記節点候補の位置を最適化する第３の工程と、前記位置が最適化された節点候補に基づき補間関数により発生した１次元時系列データと元の１次元時系列データとの誤差を判定する第４の工程と、前記第４の工程により前記誤差が近似精度に基づく値を越えると判断される場合に節点候補数を変更し、前記第２の工程に戻る第５の工程と、前記第４の工程により前記誤差が前記近似精度に基づく値未満であると判断された場合に当該節点候補のデータとこれに対応する時刻のデータとを圧縮された情報として出力する第６の工程とを含む時間等間隔な１次元時系列データの圧縮プログラムを記録するようにしたものである。
【手続補正７】
【補正対象書類名】明細書
【補正対象項目名】００１１
【補正方法】変更
【補正の内容】
【００１１】
この発明の請求項３記載の１次元時系列データ圧縮装置は、時間等間隔な１次元時系列データの圧縮装置であって、前記１次元時系列データの入力を行なう第１の手段と、前記１次元時系列データを近似する補間関数の節点候補を算出する第２の手段と、前記節点候補の位置を最適化する第３の手段と、前記位置が最適化された節点候補に基づき前記補間関数により発生した１次元時系列データと元の１次元時系列データとの誤差を判定する第４の手段と、前記第４の手段により前記誤差が近似精度に基づく値を越えると判断された場合に節点候補数を変更し、前記第２の手段に戻る第５の手段と、前記第４の手段により前記誤差が前記近似精度に基づく値を越えないと判断された場合に当該節点候補のデータとこれに対応する時刻のデータとを圧縮された情報として出力する第６の手段とを備えるようにしたものである。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】
【手続補正５９】
【補正対象書類名】明細書
【補正対象項目名】００６３
【補正方法】削除
【補正の内容】
【手続補正６０】
【補正対象書類名】明細書
【補正対象項目名】００６４
【補正方法】削除
【補正の内容】
【手続補正６１】
【補正対象書類名】明細書
【補正対象項目名】００６５
【補正方法】削除
【補正の内容】
【手続補正６２】
【補正対象書類名】明細書
【補正対象項目名】００６６
【補正方法】削除
【補正の内容】
【手続補正６３】
【補正対象書類名】明細書
【補正対象項目名】００６７
【補正方法】削除
【補正の内容】
【手続補正６４】
【補正対象書類名】明細書
【補正対象項目名】００６８
【補正方法】削除
【補正の内容】
【手続補正６５】
【補正対象書類名】明細書
【補正対象項目名】００６９
【補正方法】削除
【補正の内容】
【手続補正６６】
【補正対象書類名】明細書
【補正対象項目名】００７０
【補正方法】削除
【補正の内容】
【手続補正６７】
【補正対象書類名】明細書
【補正対象項目名】００７１
【補正方法】削除
【補正の内容】
【手続補正６８】
【補正対象書類名】明細書
【補正対象項目名】００７２
【補正方法】削除
【補正の内容】
【手続補正６９】
【補正対象書類名】明細書
【補正対象項目名】００７３
【補正方法】削除
【補正の内容】
【手続補正７０】
【補正対象書類名】明細書
【補正対象項目名】００７４
【補正方法】削除
【補正の内容】
【手続補正７１】
【補正対象書類名】明細書
【補正対象項目名】００７５
【補正方法】削除
【補正の内容】
【手続補正７２】
【補正対象書類名】明細書
【補正対象項目名】００７６
【補正方法】削除
【補正の内容】
【手続補正７３】
【補正対象書類名】明細書
【補正対象項目名】００７７
【補正方法】削除
【補正の内容】
【手続補正７４】
【補正対象書類名】明細書
【補正対象項目名】００７８
【補正方法】削除
【補正の内容】
【手続補正７５】
【補正対象書類名】明細書
【補正対象項目名】００７９
【補正方法】削除
【補正の内容】
【手続補正７６】
【補正対象書類名】明細書
【補正対象項目名】００８０
【補正方法】削除
【補正の内容】
【手続補正７７】
【補正対象書類名】明細書
【補正対象項目名】００８１
【補正方法】削除
【補正の内容】
【手続補正７８】
【補正対象書類名】明細書
【補正対象項目名】００８２
【補正方法】削除
【補正の内容】
【手続補正７９】
【補正対象書類名】明細書
【補正対象項目名】００８３
【補正方法】削除
【補正の内容】
【手続補正８０】
【補正対象書類名】明細書
【補正対象項目名】０２１２
【補正方法】変更
【補正の内容】
【０２１２】
【発明の効果】
以上のように、この発明の請求項１記載の１次元時系列データ圧縮方法によれば、時間等間隔な１次元時系列データの圧縮方法であって、前記１次元時系列データの入力を行なう第１の工程と、前記１次元時系列データを近似する補間関数の節点候補を算出する第２の工程と、前記節点候補の位置を最適化する第３の工程と、前記位置が最適化された節点候補に基づき前記補間関数により発生した１次元時系列データと元の１次元時系列データとの誤差を判定する第４の工程と、前記第４の工程により前記誤差が近似精度に基づく値を越えると判断された場合に節点候補数を変更し、前記第２の工程に戻る第５の工程と、前記第４の工程により前記誤差が前記近似精度に基づく値を越えないと判断された場合に当該節点候補のデータとこれに対応する時刻のデータとを圧縮された情報として出力する第６の工程とを含むようにしたので、与えられた１次元時系列データの性質に合わせた圧縮が行なえ、伸長後の誤差を前もって把握することができる、１次元時系列データ圧縮方法が得られる効果がある。
【手続補正８１】
【補正対象書類名】明細書
【補正対象項目名】０２１３
【補正方法】変更
【補正の内容】
【０２１３】
この発明の請求項２記載の１次元時系列データ圧縮プログラム記録媒体は、時間等間隔な１次元時系列データの圧縮プログラムを記録した１次元時系列データ圧縮プログラム記録媒体であって、前記１次元時系列データの入力を行なう第１の工程と、前記１次元時系列データを近似する補間関数の節点候補を算出する第２の工程と、前記節点候補の位置を最適化する第３の工程と、前記位置が最適化された節点候補に基づき補間関数により発生した１次元時系列データと元の１次元時系列データとの誤差を判定する第４の工程と、前記第４の工程により前記誤差が近似精度に基づく値を越えると判断される場合に節点候補数を変更し、前記第２の工程に戻る第５の工程と、前記第４の工程により前記誤差が前記近似精度に基づく値未満であると判断された場合に当該節点候補のデータとこれに対応する時刻のデータとを圧縮された情報として出力する第６の工程とを含む時間等間隔な１次元時系列データの圧縮プログラムを記録するようにしたので、与えられた１次元時系列データの性質に合わせた圧縮が行なえ、伸長後の誤差を前もって把握することができる、１次元時系列データ圧縮プログラム記録媒体が得られる効果がある。
【手続補正８２】
【補正対象書類名】明細書
【補正対象項目名】０２１４
【補正方法】変更
【補正の内容】
【０２１４】
この発明の請求項３記載の１次元時系列データ圧縮装置は、時間等間隔な１次元時系列データの圧縮装置であって、前記１次元時系列データの入力を行なう第１の手段と、前記１次元時系列データを近似する補間関数の節点候補を算出する第２の手段と、前記節点候補の位置を最適化する第３の手段と、前記位置が最適化された節点候補に基づき前記補間関数により発生した１次元時系列データと元の１次元時系列データとの誤差を判定する第４の手段と、前記第４の手段により前記誤差が近似精度に基づく値を越えると判断された場合に節点候補数を変更し、前記第２の手段に戻る第５の手段と、前記第４の手段により前記誤差が前記近似精度に基づく値を越えないと判断された場合に当該節点候補のデータとこれに対応する時刻のデータとを圧縮された情報として出力する第６の手段とを備えるようにしたので、与えられた１次元時系列データの性質に合わせた圧縮が行なえ、伸長後の誤差を前もって把握することができる、１次元時系列データ圧縮装置が得られる効果がある。
【手続補正８３】
【補正対象書類名】明細書
【補正対象項目名】０２１５
【補正方法】削除
【補正の内容】
【手続補正８４】
【補正対象書類名】明細書
【補正対象項目名】０２１６
【補正方法】削除
【補正の内容】
【手続補正８５】
【補正対象書類名】明細書
【補正対象項目名】０２１７
【補正方法】削除
【補正の内容】
【手続補正８６】
【補正対象書類名】明細書
【補正対象項目名】０２１８
【補正方法】削除
【補正の内容】
【手続補正８７】
【補正対象書類名】明細書
【補正対象項目名】０２１９
【補正方法】削除
【補正の内容】
【手続補正８８】
【補正対象書類名】明細書
【補正対象項目名】０２２０
【補正方法】削除
【補正の内容】
【手続補正８９】
【補正対象書類名】明細書
【補正対象項目名】０２２１
【補正方法】削除
【補正の内容】
【手続補正９０】
【補正対象書類名】明細書
【補正対象項目名】０２２２
【補正方法】削除
【補正の内容】
【手続補正９１】
【補正対象書類名】明細書
【補正対象項目名】０２２３
【補正方法】削除
【補正の内容】
【手続補正９２】
【補正対象書類名】明細書
【補正対象項目名】０２２４
【補正方法】削除
【補正の内容】
【手続補正９３】
【補正対象書類名】明細書
【補正対象項目名】０２２５
【補正方法】削除
【補正の内容】
【手続補正９４】
【補正対象書類名】明細書
【補正対象項目名】０２２６
【補正方法】削除
【補正の内容】
【手続補正９５】
【補正対象書類名】明細書
【補正対象項目名】０２２７
【補正方法】削除
【補正の内容】
【手続補正９６】
【補正対象書類名】明細書
【補正対象項目名】０２２８
【補正方法】削除
【補正の内容】
【手続補正９７】
【補正対象書類名】明細書
【補正対象項目名】０２２９
【補正方法】削除
【補正の内容】
【手続補正９８】
【補正対象書類名】明細書
【補正対象項目名】０２３０
【補正方法】削除
【補正の内容】
【手続補正９９】
【補正対象書類名】明細書
【補正対象項目名】０２３１
【補正方法】削除
【補正の内容】
【手続補正１００】
【補正対象書類名】明細書
【補正対象項目名】０２３２
【補正方法】削除
【補正の内容】
【手続補正１０１】
【補正対象書類名】明細書
【補正対象項目名】０２３３
【補正方法】削除
【補正の内容】
【手続補正１０２】
【補正対象書類名】明細書
【補正対象項目名】０２３４
【補正方法】削除
【補正の内容】
【手続補正１０３】
【補正対象書類名】明細書
【補正対象項目名】０２３５
【補正方法】削除
【補正の内容】
【手続補正１０４】
【補正対象書類名】明細書
【補正対象項目名】０２３６
【補正方法】削除
【補正の内容】
【手続補正１０５】
【補正対象書類名】明細書
【補正対象項目名】０２３７
【補正方法】削除
【補正の内容】
【手続補正１０６】
【補正対象書類名】明細書
【補正対象項目名】０２３８
【補正方法】削除
【補正の内容】
【手続補正１０７】
【補正対象書類名】明細書
【補正対象項目名】０２３９
【補正方法】削除
【補正の内容】
【手続補正１０８】
【補正対象書類名】明細書
【補正対象項目名】０２４０
【補正方法】削除
【補正の内容】
【手続補正１０９】
【補正対象書類名】明細書
【補正対象項目名】０２４１
【補正方法】削除
【補正の内容】
【手続補正１１０】
【補正対象書類名】明細書
【補正対象項目名】０２４２
【補正方法】削除
【補正の内容】
【手続補正１１１】
【補正対象書類名】明細書
【補正対象項目名】０２４３
【補正方法】削除
【補正の内容】
【手続補正１１２】
【補正対象書類名】明細書
【補正対象項目名】０２４４
【補正方法】削除
【補正の内容】
【手続補正１１３】
【補正対象書類名】明細書
【補正対象項目名】０２４５
【補正方法】削除
【補正の内容】
【手続補正１１４】
【補正対象書類名】明細書
【補正対象項目名】０２４６
【補正方法】削除
【補正の内容】
【手続補正１１５】
【補正対象書類名】明細書
【補正対象項目名】０２４７
【補正方法】削除
【補正の内容】
【手続補正１１６】
【補正対象書類名】明細書
【補正対象項目名】０２４８
【補正方法】削除
【補正の内容】
【手続補正１１７】
【補正対象書類名】明細書
【補正対象項目名】０２４９
【補正方法】削除
【補正の内容】
【手続補正１１８】
【補正対象書類名】明細書
【補正対象項目名】０２５０
【補正方法】削除
【補正の内容】
【手続補正１１９】
【補正対象書類名】明細書
【補正対象項目名】０２５１
【補正方法】削除
【補正の内容】
【手続補正１２０】
【補正対象書類名】明細書
【補正対象項目名】０２５２
【補正方法】削除
【補正の内容】
【手続補正１２１】
【補正対象書類名】明細書
【補正対象項目名】０２５３
【補正方法】削除
【補正の内容】
【手続補正１２２】
【補正対象書類名】明細書
【補正対象項目名】０２５４
【補正方法】削除
【補正の内容】
【手続補正１２３】
【補正対象書類名】明細書
【補正対象項目名】０２５５
【補正方法】削除
【補正の内容】
【手続補正１２４】
【補正対象書類名】明細書
【補正対象項目名】０２５６
【補正方法】削除
【補正の内容】
【手続補正１２５】
【補正対象書類名】明細書
【補正対象項目名】０２５７
【補正方法】削除
【補正の内容】
【手続補正１２６】
【補正対象書類名】明細書
【補正対象項目名】０２５８
【補正方法】削除
【補正の内容】
【手続補正１２７】
【補正対象書類名】明細書
【補正対象項目名】０２５９
【補正方法】削除
【補正の内容】
【手続補正１２８】
【補正対象書類名】明細書
【補正対象項目名】０２６０
【補正方法】削除
【補正の内容】
【手続補正１２９】
【補正対象書類名】明細書
【補正対象項目名】０２６１
【補正方法】削除
【補正の内容】
【手続補正１３０】
【補正対象書類名】明細書
【補正対象項目名】０２６２
【補正方法】削除
【補正の内容】
【手続補正１３１】
【補正対象書類名】明細書
【補正対象項目名】０２６３
【補正方法】削除
【補正の内容】
【手続補正１３２】
【補正対象書類名】明細書
【補正対象項目名】０２６４
【補正方法】削除
【補正の内容】
【手続補正１３３】
【補正対象書類名】明細書
【補正対象項目名】０２６５
【補正方法】削除
【補正の内容】
【手続補正１３４】
【補正対象書類名】明細書
【補正対象項目名】０２６６
【補正方法】削除
【補正の内容】
【手続補正１３５】
【補正対象書類名】明細書
【補正対象項目名】０２６７
【補正方法】削除
【補正の内容】
【手続補正１３６】
【補正対象書類名】明細書
【補正対象項目名】０２６８
【補正方法】削除
【補正の内容】
【手続補正１３７】
【補正対象書類名】明細書
【補正対象項目名】０２６９
【補正方法】削除
【補正の内容】
【手続補正１３８】
【補正対象書類名】明細書
【補正対象項目名】０２７０
【補正方法】削除
【補正の内容】
【手続補正１３９】
【補正対象書類名】明細書
【補正対象項目名】０２７１
【補正方法】削除
【補正の内容】
【手続補正１４０】
【補正対象書類名】明細書
【補正対象項目名】０２７２
【補正方法】削除
【補正の内容】
【手続補正１４１】
【補正対象書類名】明細書
【補正対象項目名】０２７３
【補正方法】削除
【補正の内容】
【手続補正１４２】
【補正対象書類名】明細書
【補正対象項目名】０２７４
【補正方法】削除
【補正の内容】
【手続補正１４３】
【補正対象書類名】明細書
【補正対象項目名】０２７５
【補正方法】削除
【補正の内容】
【手続補正１４４】
【補正対象書類名】明細書
【補正対象項目名】０２７６
【補正方法】削除
【補正の内容】
【手続補正１４５】
【補正対象書類名】明細書
【補正対象項目名】０２７７
【補正方法】削除
【補正の内容】
【手続補正１４６】
【補正対象書類名】明細書
【補正対象項目名】０２７８
【補正方法】削除
【補正の内容】
【手続補正１４７】
【補正対象書類名】明細書
【補正対象項目名】０２７９
【補正方法】削除
【補正の内容】
【手続補正１４８】
【補正対象書類名】明細書
【補正対象項目名】０２８０
【補正方法】削除
【補正の内容】
【手続補正１４９】
【補正対象書類名】明細書
【補正対象項目名】０２８１
【補正方法】削除
【補正の内容】
【手続補正１５０】
【補正対象書類名】明細書
【補正対象項目名】０２８２
【補正方法】削除
【補正の内容】
【手続補正１５１】
【補正対象書類名】明細書
【補正対象項目名】０２８３
【補正方法】削除
【補正の内容】
【手続補正１５２】
【補正対象書類名】明細書
【補正対象項目名】０２８４
【補正方法】削除
【補正の内容】
【手続補正１５３】
【補正対象書類名】明細書
【補正対象項目名】０２８５
【補正方法】削除
【補正の内容】
【手続補正１５４】
【補正対象書類名】明細書
【補正対象項目名】０２８６
【補正方法】削除
【補正の内容】